(57)【特許請求の範囲】
【請求項１】
建築物の軒天井部の外壁に設けられる外装パネルの上端部を覆う外装パネル用役物であって、外装パネル用役物は断面Ｌ字形状のカバー材とベース材とから成り、このカバー材とベース材のそれぞれの一辺に係合用の第一係合部と第二係合部を備え、
前記第一係合部は、前記カバー材の一辺の先端部から前記カバー材の内面側に前記一辺に沿って折返す第一面と、この第一面の先端部から第一角度で折返す第一斜面と、この第一斜面の先端部から前記第一斜面に沿って前記一辺側に二重に折返す第二斜面と第三斜面とが連続して形成され、
前記第二係合部は、前記ベース材の一辺の先端部から前記ベース材の内面側に第二角度で折返す第四斜面と、この第四斜面の先端部から前記第四斜面に沿って前記一辺側に折返す第五斜面とが連続して形成され、
前記第一角度と前記第二角度が等角に形成されるとともに、前記第二斜面と第三斜面による第一折返し部と、前記第四斜面と第五斜面による第二折返し部とが係合した状態で、前記カバー材の一辺の前記先端部が前記ベース材の一辺の他端部に位置するように形成され、
さらに前記ベース材は、他辺の先端部から他辺に沿って折返し、前記カバー材の一辺と平行に隙間部を隔てて形成される第一水平部と、垂直部と、前記軒天井部に沿って形成される第二水平部とで形成されたコ字状部材を備え、
前記コ字状部材の垂直部は前記ベース材に係合した状態の前記カバー材の他辺と面一に形成され、
前記ベース材の一辺と前記コ字状部材の前記第一水平部との隙間は、前記カバー材及び前記ベース材のぞれぞれの厚さよりも大きく、前記ベース材の一辺から前記第一斜面の先端部までの垂直方向の距離よりも小さいことを特徴とする外装パネル用役物。
【請求項２】
請求項１に記載の外装パネル用役物であって、前記垂直部に通気孔を備えることを特徴とする外装パネル用役物。
【請求項３】
請求項１又は請求項２に記載の外装パネル用役物であって、前記カバー材と前記ベース材はそれぞれ鋼板による板金加工で一体形成されることを特徴とする外装パネル用役物。
【発明の詳細な説明】
【技術分野】
【０００１】
本発明は、建築物の軒天井部における見切り構造に関し、特に、外壁本体に取付ける外装パネル用役物の構造に関する。
【背景技術】
【０００２】
従来、建築物の軒天井部の見切り構造に関して、例えば、特許文献１の記載が知られている。図５に示すように、予め工場で組立てられた壁パネル５を用いて建物の躯体を構築すると、胴縁３を介して取付けられた外装材２の上端の位置が決まる。この外装材２の上端よりやや高い位置に矩形枠状の支持部材６ａを取付ける。また、支持部材６ａの基端部側に通気支持部材６ｂを通気孔８を有する側面を壁パネル５側に向けて取付ける。このとき、外装材２の上端側面と通気支持部材６ｂとの間に隙間が設けられ、この隙間に軒天井見切材４の係合部４ａの背面側に備える上面部４ｂの端部を差し込み、上面部４ｂの所定の位置でその下側から支持部材６ａ側へ釘７を打ち込んで軒天井見切材４を固定する。
【０００３】
固定された軒天井見切材４の係合部４ａに軒天井材１の基端部１ｂを係合し、軒天井材１の反対側の端部を軒先側の所定の位置に納めるために、係合部４ａの奥部まで軒天井材１を押し込み、軒先側の端部を所定位置に納める。続いて、係合部４ａの奥まで押し込まれていた軒天井材１を軒先側にずらして軒先側の図示しない挿入口側に係合させ、所定の位置で軒天井材１の下面側から支持部材６ａに向けて釘７を打ち軒天井材１を固定する。
【０００４】
この構成によれば、通気支持部材６ｂに通気孔８を設けたので、矢印Ｆ１で示すように、外壁内部の空間を上方に連通して通気性を確保することができるので外壁内部の除湿効果が向上する。
【特許文献１】特開２００２−９７７６６号公報
【発明の開示】
【発明が解決しようとする課題】
【０００５】
ところが、軒天井材が施工された後に外装材を外壁本体に取付ける場合がある。この場合、図６に示すように、軒天井材１４の下面と外壁本体１０に当接して胴縁３が設けられ、この胴縁３に外装パネル１１が取付け、外装パネル１１と軒天井材１４を覆って外装パネル用役物１２が胴縁３に固着される。外装パネル用役物１２の断面形状は、外装パネル１１の上端部１１ａを覆う第一垂直材１２ａと胴縁３に取付けられる第二垂直材１２ｂとが第一斜材１２ｃで連結され、第二垂直材１２ｂの上端部１２ｄから水平材１２ｅと第三垂直材１２ｆと第二斜材１２ｇを介して軒天井材１４に当接する形状である。外装パネル用役物１２はビス等の固着具１５によって第二垂直材１２ｂが胴縁３に固着される。そして、水平材１２ｅには通気部１６を備えるので矢印Ｆ２で示すように複数の胴縁３間の空気は通気部１６を介して外部に連通するので通気性を確保することができる。
【０００６】
ところが、外装パネル用役物１２は固着具１５によって胴縁３に固着されるので、固着具１５の頭が外部に露出するため外見が悪く品質性に劣るという問題があった。また、固着具１５を使用するために第一斜材１２ｃと第二垂直材１２ｂと水平材１２ｅで囲まれた凹部１７が必要となるので、この凹部１７によって外装パネル用役物１２の全高が大きくなるため外見が悪く品質性に劣るという問題があった。
【０００７】
そこで、本発明は、軒天井材が施工された後に外装パネルを取付ける場合の外装パネル用役物の構造であって、外見が良くて品質性に優れ且つ簡単な構造の外装パネル用役物を提供することを目的とする。
【課題を解決するための手段】
【０００８】
請求項１の発明は、前記外装パネル用役物は断面Ｌ字形状のカバー材とベース材とから成り、このカバー材とベース材のそれぞれの一辺に係合用の第一係合部と第二係合部を備え、前記第一係合部は、前記カバー材の一辺の先端部から前記カバー材の内面側に前記一辺に沿って折返す第一面と、この第一面の先端部から第一角度で折返す第一斜面と、この第一斜面の先端部から前記第一斜面に沿って前記一辺側に二重に折返す第二斜面と第三斜面とが連続して形成され、前記第二係合部は、前記ベース材の一辺の先端部から前記ベース材の内面側に第二角度で折返す第四斜面と、この第四斜面の先端部から前記第四斜面に沿って前記一辺側に折返す第五斜面とが連続して形成され、前記第一角度と前記第二角度が等角に形成される。このため、このカバー材をベース材は差し込むだけで第一折返し部と、第二折返し部とが係合して第一係合部と第二係合部を介して確実且つ簡単に係合できる。また、前記第二斜面と第三斜面による第一折返し部と、前記第四斜面と第五斜面による第二折返し部とが係合した状態で、前記カバー材の一辺の前記先端部が前記ベース材の一辺の他端部に位置するように形成され、さらに前記ベース材は、他辺の先端部から他辺に沿って折返し、前記カバー材の一辺と平行に隙間部を隔てて形成される第一水平部と、垂直部と、前記軒天井部に沿って形成される第二水平部とで形成されたコ字状部材を備え、前記コ字状部材の垂直部は前記ベース材に係合した状態の前記カバー材の他辺と面一に形成され、前記ベース材の一辺と前記コ字状部材の前記第一水平部との隙間は、前記カバー材及び前記ベース材のぞれぞれの厚さよりも大きく、前記ベース材の一辺から前記第一斜面の先端部までの垂直方向の距離よりも小さいことを特徴としている。
【００１０】
請求項２の発明は、請求項１に記載の外装パネル用役物であって、前記垂直部に通気孔を備えることを特徴としている。
【００１１】
請求項３の発明は、請求項１又は請求項２に記載の外装パネル用役物であって、前記カバー材と前記ベース材はそれぞれ鋼板による板金加工で一体形成されることを特徴としている。
【発明の効果】
【００１２】
請求項１の発明によれば、カバー材をベース材にワンタッチで差し込むだけで第一係合部と第二係合部を介して確実且つ簡単に係合できるので施工性に優れる。そして、前記第一折返し部と第二折返し部とが係合した状態で、前記カバー材の一辺の前記先端部が前記ベース材の一辺の他端部に位置するように形成されるので、第一係合部と第二係合部は前記カバー材の一辺と前記ベース材の一辺によって安定して確実に保持される。さらに前記ベース材は、第一水平部と、垂直部と、前記軒天井部に沿って形成される第二水平部とで形成されたコ字状部材を備えるので、前記軒天井部に沿って隙間がないので外観に優れ品質性が向上する。前記外装パネル用役物の表面に固着具等が露出しないので外観に優れ品質性が向上する。
【００１３】
請求項１の発明によれば、前記コ字状部材の垂直部は前記ベース材に係合した状態の前記カバー材の他辺と面一に形成されるので外観に優れ品質性が向上する。
【００１４】
請求項２の発明によれば、請求項１に記載の外装パネル用役物であって、前記垂直部に備える通気孔によって外装パネルの裏側の空間が外部と連通するので通気性を確保できるので外装パネルの劣化をなくし防音性や保温性の低下を防ぐことができる。
【００１５】
請求項３の発明によれば、請求項１又は請求項２に記載の外装パネル用役物であって、前記カバー材と前記ベース材はそれぞれ鋼板による板金加工で一体形成されるので、低コストで容易に製作することができる。
【発明を実施するための最良の形態】
【００１６】
以下に、本発明の実施形態を図１〜図３に基づいて説明する。
【００１７】
＜外装パネル用役物の構成＞
図１、図２、図３に示すように、本発明の長尺の外装パネル用役物２０によって建築物の軒天井部２１の外壁本体２１ａに胴縁３０を介して設けられた外装パネル２２の上端部２２ａが覆われる。外装パネル用役物２０は断面Ｌ字形状のカバー材２３とベース材２４とから成り、このカバー材２３とベース材２４のそれぞれの一辺２３ａ、２４ａに係合用の第一係合部２５と第二係合部２６を備える。
【００１８】
カバー材２３の第一係合部２５は、カバー材２３の一辺２３ａの先端部２３ｂからカバー材２３の内面Ｑ１側に一辺２３ａに沿って折返す第一面２３ｃと、この第一面２３ｃの先端部２３ｄから第一角度αで折返す第一斜面２３ｅと、この第一斜面２３ｅの先端部２３ｆから第一斜面２３ｅに沿って一辺２３ａ側に二重に折返す第二斜面２３ｇと第三斜面２３ｈとが連続して形成される。他辺２３ｊの先端には内面Ｑ１に折返す折返部２３ｋが形成される。
【００１９】
ベース材２４の第二係合部２６は、一辺２４ａの先端部２４ｂからベース材２４の内面Ｑ２側に第二角度βで折返す第四斜面２４ｃと、この第四斜面２４ｃの先端部２４ｄから第四斜面２４ｃに沿って一辺２４ａ側に折返す第五斜面２４ｅとが連続して形成される。第一角度αと第二角度βはそれぞれ角度１２度で形成される。
【００２０】
第一角度αと第二角度βはそれぞれ角度１２度の等角で形成されるので、第二斜面２３ｇと第三斜面２３ｈによる第一折返し部Ｐ１と、第四斜面２４ｃと第五斜面２４ｅによる第二折返し部Ｐ２とが当接して係合する。
【００２１】
ここで、カバー材２３の一辺２３ａの先端部２３ｂがベース材２４の一辺２４ａの他端部２４ｆと略同じ位置に成るように形成されるので、第一係合部２５と第二係合部２６が係合した状態で一辺２３ａが一辺２４ａに確実且つ安定して保持される。
【００２２】
さらに、ベース材２４は、他辺２４ｇの先端部２４ｈから他辺２４ｇに沿って折返す垂直部材２７ａが連結される。この垂直部材２７ａの上端部に、一辺２４ａと平行に幅Ｓ１＝略１．５ｍｍの隙間Ｓを隔てて平行に形成される第一水平部２７ｂと、垂直部２７ｃと、軒天井部２１に沿って形成される第二水平部２７ｄとで形成されるコ字状部材２７を備える。第二水平部２７ｄの先端にはコ字状部材２７の内部側に折返す折返部２７ｅが形成される。
【００２３】
コ字状部材２７の垂直部２７ｃはベース材２４に係合した状態のカバー材２３の他辺２３ｊと面一に形成され、垂直部２７ｃに通気孔Ｔが形成される。
【００２４】
カバー材２３をベース材２４に組付けて外装パネル２２を挟持した状態でカバー材２３とベース材２４は第一折返し部Ｐ１と第二折返し部Ｐ２が当接して係合する。
【００２５】
外装パネル２２は断熱性、遮音性等を目的として、内部の断熱材を両側から薄肉の金属板で被覆してなる金属サイディングが用いられる。複数の外装パネル２２は胴縁３０を介して外壁本体２１ａに対して下から上に向かって横張り、又は左右方向の縦張りで組付けられる。胴縁３０は複数組で形成され各胴縁間には隙間が形成される。
【００２６】
外装パネル用役物２０のベース材２４とカバー材２３はそれぞれ板厚０．３５ｍｍの薄厚鋼板による板金加工で一体形成され両表面にアルミ・亜鉛合金メッキを施し、さらに、カバー材２３に対しては表面側にフッ素樹脂塗装、裏面側にポリエステル樹脂塗装が施される。
【００２７】
外装パネル用役物２０の取付手順を図４を用いて説明する。まず、建築物の外壁本体２１ａに胴縁３０が取付けられ、この胴縁３０にベース材２４のコ字状部材２７の第二水平部２７ｄを軒天井部２１に当接した状態で、他辺２４ｇと垂直部材２７ａがビス等の固着具３１を用いて胴縁３０に固着される。第二水平部２７ｄと軒天井部２１の隙間には必要に応じてパッキン材やシール剤が用いられる。
【００２８】
次に、矢印Ｆ１に示すようにベース材２４に外装パネル２２を沿わせる。このとき、外装パネル２２は胴縁３０に図示しない固着具で固着される。そして、矢印Ｆ２に示すようにカバー材２３をベース材２４に挿入し第一係合部２５が第二係合部２６に係合することでベース材２４とカバー材２３がワンタッチで簡単且つ確実に固着して外装パネル２２が挟持される。
【００２９】
＜外装パネル用役物の作用＞
上記のように、カバー材２３をベース材２４に挿入し第一係合部２５が第二係合部２６に係合するだけで施工位置を間違うことなく容易に係合できる。ベース材２４とカバー材２３がワンタッチで簡単且つ確実に係合して外装パネル２２が挟持されるので施工性が向上する。また、外装パネル２２の固着具３１の頭がカバー材２３（及び外装パネル２２）に隠れて外側から見えないので外観性に優れ品質性が向上する。ベース材２４を軒天井部２１に当接し外装パネル２２の上端をベース材２４に合わせるだけの位置決めなので寸法合わせを厳しくする必要がないので施工性が向上する。
【００３０】
また、カバー材２３の表面である他辺２３ｊとベース材２４のコ字状部材２７の垂直部２７ｃとが面一で、しかも隙間Ｓ（幅Ｓ１＝略１．５ｍｍ）も僅かなので外装パネル用役物２０の全高さを小さくできるため外観性に優れ品質性が向上する。カバー材２３とベース材２４は鋼板を折返して形成するだけの簡単な構造で板金加工により一体形成できるので低コストで製作することができる。カバー材２３は軒天井部以外の外壁にも使用可能で汎用品として利用できる。
【００３１】
以上、本発明の実施例を図面に基づいて説明したが、具体的な構成はこの実施例に限られるものではなく本発明の要旨を逸脱しない範囲の設計変更等があっても本発明に含まれる。
【００３２】
たとえば、カバー材２３の第一角度αをベース材２４の第二角度βより若干小さく形成すると、カバー材２３とベース材２４の互いの弾力によってさらに強固に係止することができる。第一折返し部Ｐ１は第三斜面２３ｈを省略して第二斜面２３ｇだけでも形成できるが、この場合、それぞれ一層の板厚により係合できるだけの板厚が考慮される。
【００３３】
外装パネル用役物２０の材質はアルミ材や樹脂材でもよい。カバー材２３の他辺２３ｊは外装パネル２２の表面模様に対応するプレス加工、エンボス加工をすることもできる。
【図面の簡単な説明】
【００３４】
【図１】本発明の実施形態における、建築物の外壁本体２１ａに胴縁３０を介して設けられる外装パネル２２の上端部２２ａを覆う長尺の外装パネル用役物２０の断面図である。
【図２】本発明の実施形態における、外装パネル用役物２０のベース材２４の断面図である。
【図３】本発明の実施形態における、外装パネル用役物２０のカバー材２３の断面図である。
【図４】本発明の実施形態における、外装パネル用役物２０と外装パネル２２の組付け手順を示す断面図である。
【図５】従来の、胴縁３を介して取付けられる外装材２の上端部と、軒天井見切材４の係合部４ａに軒天井材１の基端部１ｂを係合する状態を示す断面図である。
【図６】従来の、他の外装パネル用役物１２が外装パネル１１の上端部１１ａを覆う状態を示す断面図である。
【符号の説明】
【００３５】
２１  軒天井部
２１ａ  外壁本体
２２  外装パネル
２２ａ  上端部
２３  カバー材
２３ａ  一辺
２４  ベース材
２４ａ  一辺
２４ｇ  他辺
２４ｈ  先端部
２５  第一係合部
２６  第二係合部
２７  コ字状部材
２７ａ  垂直部材
２７ｂ  第一水平部
２７ｃ  垂直部
２７ｄ  第二水平部
３０  胴縁
Ｓ  隙間
【図１】
0005052395.tif 000002
【図２】
0005052395.tif 000003
【図３】
0005052395.tif 000004
【図４】
0005052395.tif 000005
【図５】
0005052395.tif 000006
【図６】
0005052395.tif 000007